(57)【要約】【課題】組み立てが容易で、サイズが小さい光集積素子、光ヘッド装置、及び光ディスク装置を提供する。【解決手段】光ヘッド装置１は、光源ユニット２１と、対物レンズ２６と、対物レンズアクチュエータ２８と、複数の受光面を有する光検知器３３と、偏光ビームスプリッタ２３と、ホログラム２９と、所定の波長のレーザー光を通過させ、他の波長のレーザー光を反射させる波長選択性を持つ第１の面３０及び第１の面３０を通過した所定の波長のレーザー光を反射及び回折させる第２の面３１を有する反射素子３５とを備え、第１の面３０で反射した他の波長のレーザー光を、複数の受光面の内の対応する受光面に入射させ、第１の面３０を通過し、第２の面３１で反射した所定の波長のレーザー光を、第１の面３０を再度通過させ、対応する受光面に入射させるように構成している。【選択図】図２
2014175030.tif 000002
【特許請求の範囲】
【請求項１】
複数のレーザー光源を有し、前記複数のレーザー光源で生成される互いに波長の異なる複数のレーザー光の内のいずれかのレーザー光を選択的に出射する光源ユニットと、
前記複数のレーザー光を受光する複数の受光面を有し、前記複数の受光面の各々が、受光光量に応じた信号レベルの検知信号を出力する光検知器と、
前記光源ユニットから出射され光ディスクに向かう前記レーザー光と前記光ディスクで反射されたレーザー光とを分離する分離素子と、
前記光ディスクで反射され前記分離素子で分離されたレーザー光の進行方向を変える偏向素子と、
前記複数のレーザー光の内の所定の波長のレーザー光を通過させ、他の波長のレーザー光を反射させる波長選択性を持つ第１の面と、前記第１の面を通過した前記所定の波長のレーザー光を反射及び回折させる第２の面とを有する反射素子と
を備え、
前記偏向素子を通過し前記第１の面で反射した前記他の波長のレーザー光を、前記複数の受光面の内の対応する受光面に入射させ、前記偏向素子を通過し前記第１の面を通過し、前記第２の面で反射した前記所定の波長のレーザー光を、前記第１の面を再度通過させ、前記光検知器の対応する受光面に入射させるように、前記分離素子、前記偏向素子、前記反射素子、及び前記光検知器を配置した
ことを特徴とする光集積素子。
【請求項２】
前記複数のレーザー光源は、前記光ディスクのラジアル方向に直線状に、且つ、前記ラジアル方向の内側に位置するほど、波長の短いレーザー光を生成するレーザー光源になるように、配置されることを特徴とする請求項１に記載の光集積素子。
【請求項３】
前記複数のレーザー光源は、第１の波長を持つ第１のレーザー光を生成する第１のレーザー光源と、前記第１の波長より長い第２の波長を持つ第２のレーザー光を生成する第２のレーザー光源と、前記第２の波長より長い第３の波長を持つ第３のレーザー光を生成する第３のレーザー光源とを含み、
前記所定の波長のレーザー光は、前記第２の波長を持つ前記第２のレーザー光を含み、
前記他の波長のレーザー光は、前記第１の波長を持つ前記第１のレーザー光と前記第２の波長を持つ前記第２のレーザー光とを含む
ことを特徴とする請求項１又は２に記載の光集積素子。
【請求項４】
前記複数のレーザー光源は、第１の波長を持つ第１のレーザー光を生成する第１のレーザー光源と、前記第１の波長より長い第２の波長を持つ第２のレーザー光を生成する第２のレーザー光源と、前記第２の波長より長い第３の波長を持つ第３のレーザー光を生成する第３のレーザー光源とを含み、
前記所定の波長のレーザー光は、前記第１の波長を持つ前記第１のレーザー光を含み、
前記他の波長のレーザー光は、前記第２の波長を持つ前記第２のレーザー光と前記第３の波長を持つ前記第３のレーザー光とを含む
ことを特徴とする請求項１又は２に記載の光集積素子。
【請求項５】
前記光検知器の前記複数の受光面の内の、前記第２のレーザー光に対応する複数の受光面及び前記第３のレーザー光に対応する複数の受光面は、前記第１のレーザー光に対応する複数の受光面が存在するタンジェンシャル方向の幅の範囲内に配置されることを特徴とする請求項３又は４に記載の光集積素子。
【請求項６】
前記反射素子の前記第２の面は、反射光を発散させる機能を持つことを特徴とする請求項１から５のいずれか１項に記載の光集積素子。
【請求項７】
複数のレーザー光源を有し、前記複数のレーザー光源で生成される互いに波長の異なる複数のレーザー光の内のいずれかのレーザー光を選択的に出射する光源ユニットと、
光ディスクに向かうレーザー光を集光し、及び、前記光ディスクの情報トラックによって回折された反射光を集光する対物レンズと、
外部から駆動信号を受信し、前記駆動信号の値に応じた量だけ、前記対物レンズを少なくとも前記光ディスクのラジアル方向にシフトさせる対物レンズアクチュエータと、
前記複数のレーザー光を受光する複数の受光面を有し、前記複数の受光面の各々が、受光光量に応じた信号レベルの検知信号を出力する光検知器と、
前記光源ユニットから出射され光ディスクに向かう前記レーザー光と前記光ディスクで反射されたレーザー光とを分離する分離素子と、
前記光ディスクで反射され前記分離素子で分離されたレーザー光の進行方向を変える偏向素子と、
前記複数のレーザー光の内の所定の波長のレーザー光を通過させ、他の波長のレーザー光を反射させる波長選択性を持つ第１の面と、前記第１の面を通過した前記所定の波長のレーザー光を反射及び回折させる第２の面とを有する反射素子と
を備え、
前記偏向素子を通過し前記第１の面で反射した前記他の波長のレーザー光を、前記複数の受光面の内の対応する受光面に入射させ、前記偏向素子を通過し前記第１の面を通過し、前記第２の面で反射した前記所定の波長のレーザー光を、前記第１の面を再度通過させ、前記光検知器の対応する受光面に入射させるように、前記分離素子、前記偏向素子、前記反射素子、及び前記光検知器を配置した
ことを特徴とする光ヘッド装置。
【請求項８】
前記複数のレーザー光源は、前記光ディスクのラジアル方向に直線状に、且つ、前記ラジアル方向の内側に位置するほど、波長の短いレーザー光を生成するレーザー光源になるように、配置されることを特徴とする請求項７に記載の光ヘッド装置。
【請求項９】
前記複数のレーザー光源は、第１の波長を持つ第１のレーザー光を生成する第１のレーザー光源と、前記第１の波長より長い第２の波長を持つ第２のレーザー光を生成する第２のレーザー光源と、前記第２の波長より長い第３の波長を持つ第３のレーザー光を生成する第３のレーザー光源とを含み、
前記所定の波長のレーザー光は、前記第２の波長を持つ前記第２のレーザー光を含み、
前記他の波長のレーザー光は、前記第１の波長を持つ前記第１のレーザー光と前記第２の波長を持つ前記第２のレーザー光とを含む
ことを特徴とする請求項７又は８に記載の光ヘッド装置。
【請求項１０】
前記複数のレーザー光源は、第１の波長を持つ第１のレーザー光を生成する第１のレーザー光源と、前記第１の波長より長い第２の波長を持つ第２のレーザー光を生成する第２のレーザー光源と、前記第２の波長より長い第３の波長を持つ第３のレーザー光を生成する第３のレーザー光源とを含み、
前記所定の波長のレーザー光は、前記第１の波長を持つ前記第１のレーザー光を含み、
前記他の波長のレーザー光は、前記第２の波長を持つ前記第２のレーザー光と前記第３の波長を持つ前記第３のレーザー光とを含む
ことを特徴とする請求項７又は８に記載の光ヘッド装置。
【請求項１１】
前記光検知器の前記複数の受光面の内の、前記第２のレーザー光に対応する複数の受光面及び前記第３のレーザー光に対応する複数の受光面は、前記第１のレーザー光に対応する複数の受光面が存在するタンジェンシャル方向の幅の範囲内に配置されることを特徴とする請求項９又は１０に記載の光ヘッド装置。
【請求項１２】
前記反射素子の前記第２の面は、反射光を発散させる機能を持つことを特徴とする請求項７から１１のいずれか１項に記載の光ヘッド装置。
【請求項１３】
複数のレーザー光源を有し、前記複数のレーザー光源で生成される互いに波長の異なる複数のレーザー光の内のいずれかのレーザー光を選択的に出射する光源ユニットと、
光ディスクに向かうレーザー光を集光し、及び、前記光ディスクの情報トラックによって回折された反射光を集光する対物レンズと、
外部から駆動信号を受信し、前記駆動信号の値に応じた量だけ、前記対物レンズを少なくとも前記光ディスクのラジアル方向にシフトさせる対物レンズアクチュエータと、
前記複数のレーザー光を受光する複数の受光面を有し、前記複数の受光面の各々が、受光光量に応じた信号レベルの検知信号を出力する光検知器と、
前記光源ユニットから出射され光ディスクに向かう前記レーザー光と前記光ディスクで反射されたレーザー光とを分離する分離素子と、
前記光ディスクで反射され前記分離素子で分離されたレーザー光の進行方向を変える偏向素子と、
前記複数のレーザー光の内の所定の波長のレーザー光を通過させ、他の波長のレーザー光を反射させる波長選択性を持つ第１の面と、前記第１の面を通過した前記所定の波長のレーザー光を反射及び回折させる第２の面とを有する反射素子と、
前記光検知器の前記複数の受光面による検知信号に基づいて、前記対物レンズアクチュエータに供給される前記駆動信号を設定するサーボ回路と
を備え、
前記偏向素子を通過し前記第１の面で反射した前記他の波長のレーザー光を、前記複数の受光面の内の対応する受光面に入射させ、前記偏向素子を通過し前記第１の面を通過し、前記第２の面で反射した前記所定の波長のレーザー光を、前記第１の面を再度通過させ、前記光検知器の対応する受光面に入射させるように、前記分離素子、前記偏向素子、前記反射素子、及び前記光検知器を配置した
ことを特徴とする光ディスク装置。
【請求項１４】
前記複数のレーザー光源は、前記光ディスクのラジアル方向に直線状に、且つ、前記ラジアル方向の内側に位置するほど、波長の短いレーザー光を生成するレーザー光源になるように、配置されることを特徴とする請求項１３に記載の光ディスク装置。
【請求項１５】
前記複数のレーザー光源は、第１の波長を持つ第１のレーザー光を生成する第１のレーザー光源と、前記第１の波長より長い第２の波長を持つ第２のレーザー光を生成する第２のレーザー光源と、前記第２の波長より長い第３の波長を持つ第３のレーザー光を生成する第３のレーザー光源とを含み、
前記所定の波長のレーザー光は、前記第２の波長を持つ前記第２のレーザー光を含み、
前記他の波長のレーザー光は、前記第１の波長を持つ前記第１のレーザー光と前記第２の波長を持つ前記第２のレーザー光とを含む
ことを特徴とする請求項１３又は１４に記載の光ディスク装置。
【請求項１６】
前記複数のレーザー光源は、第１の波長を持つ第１のレーザー光を生成する第１のレーザー光源と、前記第１の波長より長い第２の波長を持つ第２のレーザー光を生成する第２のレーザー光源と、前記第２の波長より長い第３の波長を持つ第３のレーザー光を生成する第３のレーザー光源とを含み、
前記所定の波長のレーザー光は、前記第１の波長を持つ前記第１のレーザー光を含み、
前記他の波長のレーザー光は、前記第２の波長を持つ前記第２のレーザー光と前記第３の波長を持つ前記第３のレーザー光とを含む
ことを特徴とする請求項１３又は１４に記載の光ディスク装置。
【請求項１７】
前記光検知器の前記複数の受光面の内の、前記第２のレーザー光に対応する複数の受光面及び前記第３のレーザー光に対応する複数の受光面は、前記第１のレーザー光に対応する複数の受光面が存在するタンジェンシャル方向の幅の範囲内に配置されることを特徴とする請求項１５又は１６に記載の光ディスク装置。
【請求項１８】
前記反射素子の前記第２の面は、反射光を発散させる機能を持つことを特徴とする請求項１３から１７のいずれか１項に記載の光ディスク装置。
【発明の詳細な説明】
【技術分野】
【０００１】
本発明は、光ディスクに対するデータの記録及び再生を行う光ディスク装置、光ディスク装置の一部を構成する光ヘッド装置、及び、光ヘッド装置の一部を構成する光集積素子に関するものである。
【背景技術】
【０００２】
互いに波長の異なるレーザー光を出射する３種類のレーザー光源を備え、ＣＤ（コンパクトディスク）、ＤＶＤ（デジタル多用途ディスク）、及びＢＤ（ブルーレイディスク）の３種類の光ディスクに対するデータの記録及び再生に対応可能な光ヘッド装置が普及している。また、３種類のレーザー光源の発光点の距離を数百μｍ以下に狭めて一体化した光源ユニットを備えた小型の光ヘッド装置も使用されている。さらに、光ヘッド装置を小型化するために、３種類のレーザー光源を含む光源ユニットから出射される３種類のレーザー光の光軸を平板の導光手段を用いて一致させ、各レーザー光を１つの受光素子チップの共通の受光面に入射させる技術も提案されている（例えば、特許文献１参照）。
【先行技術文献】
【特許文献】
【０００３】
【特許文献１】特開２０１０−２７１４８号公報（例えば、要約、図１）
【発明の概要】
【発明が解決しようとする課題】
【０００４】
特許文献１に記載の光ヘッド装置においては、小型化のために１つの受光素子チップの共通の受光面で各レーザー光を検出するが、平板の導光手段を用いて、受光素子チップに入射する３種類のレーザー光の光軸を一致させているので、３種類のレーザー光源の各々と、受光素子チップの受光面と、平板の導光手段との位置関係に非常に高い精度が要求されるという問題がある。
【０００５】
そこで、本発明は、上記従来技術の課題を解決するためになされたものであり、組み立てが容易でありサイズが小さい光集積素子、光ヘッド装置、及び光ディスク装置を提供することを目的とする。
【課題を解決するための手段】
【０００６】
本発明の一態様に係る光集積素子は、複数のレーザー光源を有し、前記複数のレーザー光源で生成される互いに波長の異なる複数のレーザー光の内のいずれかのレーザー光を選択的に出射する光源ユニットと、前記複数のレーザー光を受光する複数の受光面を有し、前記複数の受光面の各々が、受光光量に応じた信号レベルの検知信号を出力する光検知器と、前記光源ユニットから出射され光ディスクに向かう前記レーザー光と前記光ディスクで反射されたレーザー光とを分離する分離素子と、前記光ディスクで反射され前記分離素子で分離されたレーザー光の進行方向を変える偏向素子と、前記複数のレーザー光の内の所定の波長のレーザー光を通過させ、他の波長のレーザー光を反射させる波長選択性を持つ第１の面と、前記第１の面を通過した前記所定の波長のレーザー光を反射及び回折させる第２の面とを有する反射素子とを備え、前記偏向素子を通過し前記第１の面で反射した前記他の波長のレーザー光を、前記複数の受光面の内の対応する受光面に入射させ、前記偏向素子を通過し前記第１の面を通過し、前記第２の面で反射した前記所定の波長のレーザー光を、前記第１の面を再度通過させ、前記光検知器の対応する受光面に入射させるように、前記分離素子、前記偏向素子、前記反射素子、及び前記光検知器を配置したことを特徴とする。
【０００７】
本発明の他の態様に係る光ヘッド装置は、複数のレーザー光源を有し、前記複数のレーザー光源で生成される互いに波長の異なる複数のレーザー光の内のいずれかのレーザー光を選択的に出射する光源ユニットと、光ディスクに向かうレーザー光を集光し、及び、前記光ディスクの情報トラックによって回折された反射光を集光する対物レンズと、外部から駆動信号を受信し、前記駆動信号の値に応じた量だけ、前記対物レンズを少なくとも前記光ディスクのラジアル方向にシフトさせる対物レンズアクチュエータと、前記複数のレーザー光を受光する複数の受光面を有し、前記複数の受光面の各々が、受光光量に応じた信号レベルの検知信号を出力する光検知器と、前記光源ユニットから出射され光ディスクに向かう前記レーザー光と前記光ディスクで反射されたレーザー光とを分離する分離素子と、前記光ディスクで反射され前記分離素子で分離されたレーザー光の進行方向を変える偏向素子と、前記複数のレーザー光の内の所定の波長のレーザー光を通過させ、他の波長のレーザー光を反射させる波長選択性を持つ第１の面と、前記第１の面を通過した前記所定の波長のレーザー光を反射及び回折させる第２の面とを有する反射素子とを備え、前記偏向素子を通過し前記第１の面で反射した前記他の波長のレーザー光を、前記複数の受光面の内の対応する受光面に入射させ、前記偏向素子を通過し前記第１の面を通過し、前記第２の面で反射した前記所定の波長のレーザー光を、前記第１の面を再度通過させ、前記光検知器の対応する受光面に入射させるように、前記分離素子、前記偏向素子、前記反射素子、及び前記光検知器を配置したことを特徴とする。
【０００８】
本発明の他の態様に係る光ディスク装置は、複数のレーザー光源を有し、前記複数のレーザー光源で生成される互いに波長の異なる複数のレーザー光の内のいずれかのレーザー光を選択的に出射する光源ユニットと、光ディスクに向かうレーザー光を集光し、及び、前記光ディスクの情報トラックによって回折された反射光を集光する対物レンズと、外部から駆動信号を受信し、前記駆動信号の値に応じた量だけ、前記対物レンズを少なくとも前記光ディスクのラジアル方向にシフトさせる対物レンズアクチュエータと、前記複数のレーザー光を受光する複数の受光面を有し、前記複数の受光面の各々が、受光光量に応じた信号レベルの検知信号を出力する光検知器と、前記光源ユニットから出射され光ディスクに向かう前記レーザー光と前記光ディスクで反射されたレーザー光とを分離する分離素子と、前記光ディスクで反射され前記分離素子で分離されたレーザー光の進行方向を変える偏向素子と、前記複数のレーザー光の内の所定の波長のレーザー光を通過させ、他の波長のレーザー光を反射させる波長選択性を持つ第１の面と、前記第１の面を通過した前記所定の波長のレーザー光を反射及び回折させる第２の面とを有する反射素子と、前記光検知器の前記複数の受光面による検知信号に基づいて、前記対物レンズアクチュエータに供給される前記駆動信号を設定するサーボ回路とを備え、前記偏向素子を通過し前記第１の面で反射した前記他の波長のレーザー光を、前記複数の受光面の内の対応する受光面に入射させ、前記偏向素子を通過し前記第１の面を通過し、前記第２の面で反射した前記所定の波長のレーザー光を、前記第１の面を再度通過させ、前記光検知器の対応する受光面に入射させるように、前記分離素子、前記偏向素子、前記反射素子、及び前記光検知器を配置したことを特徴とする。
【発明の効果】
【０００９】
本発明によれば、互いに波長の異なる複数のレーザー光の内の所定の波長のレーザー光の照射位置をシフトさせることによって光検知器のサイズを縮小することができるので、光集積素子、光ヘッド装置、及び光ディスク装置を小型化することができる。
【図面の簡単な説明】
【００１０】
【図１】本発明の実施の形態１及び２に係る光ディスク装置の構成を概略的に示す図である。
【図２】実施の形態１に係る光ヘッド装置の構成を概略的に示す斜視図である。
【図３】図２の光ヘッド装置の光検知器に入射するＢＤ用レーザー光の光路を概略的に示す側面図である。
【図４】図２の光ヘッド装置の光検知器に入射するＤＶＤ用レーザー光の光路を概略的に示す側面図である。
【図５】図２の光ヘッド装置の光検知器に入射するＣＤ用レーザー光の光路を概略的に示す側面図である。
【図６】実施の形態１及び２に係る光ヘッド装置のホログラムを示す平面図である。
【図７】図２の光ヘッド装置の光検知器の受光面及びホログラムで７分割された光ビームを示す図である。
【図８】図６のホログラムに照射されるレーザー光の照射領域を概略的に示す図（対物レンズのシフトが無いとき）である。
【図９】図６のホログラムに照射されるレーザー光の照射領域を概略的に示す図（対物レンズがラジアル方向の光ディスク内周側にシフトしたとき）である。
【図１０】図６のホログラムに照射されるレーザー光の照射領域を概略的に示す図（対物レンズがラジアル方向の光ディスク外周側にシフトしたとき）である。
【図１１】（ａ）〜（ｃ）は、実施の形態１及び２に係る光ヘッド装置の対物レンズのラジアル方向のシフトによる検知信号の信号レベルの変化を示す図である。
【図１２】実施の形態１及び２に係る光ヘッド装置における光ディスクの情報記録層の情報トラックに集光されたレーザー光の照射領域を示す図である。
【図１３】図２の光検知器の受光面及び回折格子で分割されたＤＶＤ用レーザー光の照射領域を概略的に示す図である。
【図１４】比較例における、光検知器の受光面及び回折格子で分割されたＤＶＤ用レーザー光の照射領域を概略的に示す図である。
【図１５】図２の光検知器の受光面及びＣＤ用レーザー光の照射領域を概略的に示す図である。
【図１６】実施の形態２に係る光ヘッド装置の構成を概略的に示す斜視図である。
【図１７】図１６の光ヘッド装置の光検知器に入射するＢＤ用レーザー光の光路を概略的に示す側面図である。
【図１８】図１６の光ヘッド装置の光検知器に入射するＤＶＤ用レーザー光の光路を概略的に示す側面図である。
【図１９】図１６の光ヘッド装置の光検知器に入射するＣＤ用レーザー光の光路を概略的に示す側面図である。
【図２０】図１６の光検知器の受光面及びホログラムで７分割された光ビームの照射領域を概略的に示す図（対物レンズのラジアル方向のシフトが無いとき）である。
【図２１】比較例における、光検知器の受光面及び回折格子で分割されたＢＤ用レーザー光の照射領域を概略的に示す図である。
【図２２】図１６の光検知器の受光面及び回折格子で分割されたＤＶＤ用レーザー光の照射領域を概略的に示す図である。
【図２３】図１６の光検知器の受光面及びＣＤ用レーザー光の照射領域を概略的に示す図である。
【発明を実施するための形態】
【００１１】
《１》実施の形態１．
《１−１》光ディスク装置の構成
図１は、本発明の実施の形態１及び２に係る光ディスク装置の構成を概略的に示す図である。図１に示されるように、光ディスク装置は、光ディスク６０が装着されるターンテーブル３ａと、記録又は再生時にターンテーブル３ａを回転駆動させるディスク駆動部としてのスピンドルモータ３と、光ディスク６０に対するデータの再生又はデータの記録を行なう光ヘッド装置１（後述の実施の形態２においては、光ヘッド装置２）と、光ヘッド装置１を光ディスクのラジアル（半径）方向にシフトさせる移動部４とを有する。また、光ディスク装置は、光ヘッド装置１の光検知器（後述の図２に示す光検知器３３）の各受光面（受光素子）によって検知された光ビームの受光光量に応じた信号レベルの電気信号が供給されるマトリクス回路５と、信号再生回路６と、サーボ回路７と、スピンドル制御回路８と、レーザー制御回路９と、スレッド制御回路１０と、コントローラ１１とを有する。
【００１２】
マトリクス回路５は、マトリクス演算回路及び増幅回路を用いた再生信号生成手段、フォーカスエラー検出手段、トラックエラー検出手段を備えており、光ヘッド装置１の光検知器の複数の受光面（後述の図７、図１３、図１５などに示す。）からの出力信号から、高周波信号の再生信号ＲＳ、サーボ制御のためのフォーカスエラー信号ＦＥＳ及びトラックエラー信号ＴＥＳなどを生成する。マトリクス回路５から出力される再生信号ＲＳは、信号再生回路６に供給され、マトリクス回路５から出力されるフォーカスエラー信号ＦＥＳ及びトラックエラー信号ＴＥＳは、サーボ回路７に供給される。
【００１３】
信号再生回路６は、マトリクス回路５からの再生信号ＲＳに対して２値化処理及び再生クロック生成処理などを行い、再生データを生成する。再生データにまでデコードされたデータは、例えば、ＡＶ（Ａｕｄｉｏ／Ｖｉｓｕａｌ）システムとしての機器又はパーソナルコンピュータ（ＰＣ）などのホスト機器に転送される。
【００１４】
サーボ回路７は、マトリクス回路５から供給されたフォーカスエラー信号ＦＥＳ及びトラックエラー信号ＴＥＳから、フォーカス及びトラックの各種サーボドライブ信号を生成し、光ヘッド装置１にサーボ動作を実行させる。すなわち、サーボ回路７は、フォーカスエラー信号ＦＥＳ及びトラックエラー信号ＴＥＳに応じて駆動信号としてのフォーカスドライブ信号ＦＤＳ及びトラックドライブ信号ＴＤＳを生成し、光ヘッド装置１の対物レンズアクチュエータのフォーカスコイル及びトラックコイルを駆動させる。これによって、光ヘッド装置１、マトリクス回路５、及びサーボ回路７によるフォーカスサーボループ及びトラックサーボループが形成される。
【００１５】
スピンドル制御回路８は、スピンドルモータ３の回転制御を行う。レーザー制御回路９は、光ヘッド装置１から出射されるレーザー光の強度を制御する。スレッド制御回路１０は、移動部４によって光ヘッド装置１を光ディスク６０のラジアル方向（半径方向）にシフトさせ、光ヘッド装置１が光ディスク６０のラジアル方向の所望位置のデータを再生すること（又は、光ヘッド装置１が光ディスク６０のラジアル方向の所望位置にデータを記録すること）を可能としている。
【００１６】
以上のようなサーボ系及び再生系の各種動作は、マイクロコンピュータによって形成されたコントローラ１１によって制御される。コントローラ１１は、ホスト機器から供給されたコマンドに応じて各種処理を実行する。
【００１７】
《１−２》光ヘッド装置の構成
図２は、実施の形態１に係る光ヘッド装置１の構成を概略的に示す斜視図である。光ヘッド装置１は、互いに波長の異なる３種類のレーザー光を生成する３種類の半導体レーザー（レーザー光源）を、隣接するレーザー光源の発光点の距離が数百μｍ以下になるように一体化した光源ユニット２１と、回折格子２２と、光ディスク６０に向かうレーザー光と光ディスク６０で反射したレーザー光とを分離する分離素子としての偏光ビームスプリッタ２３とを備えている。また、光ヘッド装置１は、１／４波長板２４と、コリメータレンズ２５と、光ディスク６０に向かうレーザー光を集光し、及び、光ディスク６０の情報記録層の情報トラック６１によって回折された反射光を集光する対物レンズ２６と、対物レンズ２６を保持する可動保持部２７と、可動保持部２７をフォーカス方向又は光ディスク６０のラジアル方向に駆動する対物レンズアクチュエータ２８とを備えている。さらに、光ヘッド装置１は、偏向素子（回折素子）としてのホログラム２９と、ＢＤ／ＣＤ用レーザー光反射面３０と、ＤＶＤ用レーザー光反射面３１と、レーザー光に非点収差を与える非点光学素子３２と、光検知器３３とを備えている。光源ユニット２１と光検知器３３との両方は支持構造体２０に固定されており、光源ユニット２１と光検知器３３とは一体構造となっている。
【００１８】
光源ユニット２１は、３種類のレーザー光源２１Ｂ，２１Ｄ，２１Ｃを含む。３つのレーザー光源２１Ｂ，２１Ｄ，２１Ｃの発光点は、ラジアル方向に直線状に並んでおり、ラジアル方向のマイナス（−）側（すなわち、光ディスク６０の中心側）から順に、ＢＤ用レーザー光を生成するＢＤ用レーザー光源２１Ｂの発光点、ＤＶＤ用レーザー光を生成するＤＶＤ用レーザー光源２１Ｄの発光点、ＣＤ用レーザー光を生成するＣＤ用レーザー光源２１Ｃの発光点の順に並んでいる。すなわち、複数のレーザー光源（２１Ｂ，２１Ｄ，２１Ｃ）は、光ディスク６０のラジアル方向に直線状に、且つ、ラジアル方向の内側（マイナス側）に位置するほど、波長の短いレーザー光を生成するレーザー光源になるように、配置される。また、３つの発光点の内の中央にあるＤＶＤ用レーザー光源２１Ｄの発光点は、コリメータレンズ２５の光軸ＡＸ上に配置されることが望ましい。これにより、３つの発光点の内の両端の発光点のいずれかがコリメータレンズ２５の光軸上に配置される場合よりも、レーザー光の集光性能の低下を平均化することができる。すなわち、集光性能の低下が、ＢＤ用レーザー光又はＣＤ用レーザー光のいずれかに偏りすぎないようにすることができる。さらに、光検知器３３上では、ＢＤ用レーザー光から生成される第１の光ビーム１０１（後述する図７に示される）が到達する位置のラジアル方向のプラス（＋）側であって、ＢＤ用レーザー光から生成される第２及び第３の光ビーム１０２，１０３（後述する図７に示される）が到達する位置のラジアル方向のマイナス（−）側に、ＤＶＤ用レーザー光が到達する位置とＣＤ用レーザー光が到達する位置とがあるように構成されている。このため、すべての受光面を配置するために必要なラジアル方向の長さを短くでき、光検知器３３のチップサイズを小さくすることができるという効果がある。
【００１９】
図３は、図２の光ヘッド装置１の光集積素子１ａの光検知器３３に入射するＢＤ用レーザー光の光路を概略的に示す側面図である。図４は、図２の光ヘッド装置１の光集積素子１ａの光検知器３３に入射するＤＶＤ用レーザー光の光路を概略的に示す側面図である。図５は、図２の光ヘッド装置１の光集積素子１ａの光検知器３３に入射するＣＤ用レーザー光の光路を概略的に示す側面図である。図３から図５に示されるように、光集積素子１ａは、３種類のレーザー光源２１Ｂ，２１Ｄ，２１Ｃを有し、これらレーザー光源２１Ｂ，２１Ｄ，２１Ｃで生成される互いに波長の異なる３種類のレーザー光の内のいずれかのレーザー光を選択的に出射する光源ユニット２１と、複数のレーザー光を受光する複数の受光面（Ｂ１〜Ｂ８，Ｄ１〜Ｄ８，Ｃ１〜Ｃ４）を有し、複数の受光面の各々が、受光光量に応じた信号レベルの検知信号を出力する光検知器３３と、光源ユニット２１から出射され光ディスク６０に向かうレーザー光と光ディスク６０で反射されたレーザー光とを分離する分離素子としての偏光ビームスプリッタ２３と、偏光ビームスプリッタ２３で分離されたレーザー光の進行方向を変える偏向素子としてのホログラム２９と、３種類のレーザー光の内の所定の波長のレーザー光（ＤＶＤ用レーザー光）を通過させ、他の波長のレーザー光（ＢＤ用レーザー光及びＣＤ用レーザー光）を反射させる波長選択性を持つ第１の面としてのＢＤ／ＣＤ用レーザー光反射面３０と、ＢＤ／ＣＤ用レーザー光反射面３０を通過した所定の波長のレーザー光（ＤＶＤ用レーザー光）を反射及び回折させる第２の面としてのＤＶＤ用レーザー光反射面３１とを有する反射素子３５とを備えている。光集積素子１ａにおいては、図３及び図５に示されるように、ホログラム２９を通過しＢＤ／ＣＤ用レーザー光反射面３０で反射した他の波長のレーザー光（ＢＤ用レーザー光及びＣＤ用レーザー光）を、複数の受光面の内の対応する受光面（Ｂ１〜Ｂ８，Ｃ１〜Ｃ４）に入射させ、図４に示されるように、ホログラム２９を通過しＢＤ／ＣＤ用レーザー光反射面３０を通過し、ＤＶＤ用レーザー光反射面３１で反射した所定の波長のレーザー光（ＤＶＤ用レーザー光）を、ＢＤ／ＣＤ用レーザー光反射面３０を再度通過させ、光検知器３３の対応する受光面（Ｄ１〜Ｄ８）に入射させるように、偏光ビームスプリッタ２３、ホログラム２９、反射素子３５のＢＤ／ＣＤ用レーザー光反射面３０及びＤＶＤ用レーザー光反射面３１、並びに、光検知器３３を配置している。
【００２０】
《１−３》ＢＤ用レーザー光を用いた記録再生動作
ＢＤの記録再生の場合について説明する。光源ユニット２１のＢＤ用レーザー光源２１Ｂから出射されたＢＤ用レーザー光は、回折格子２２、偏光ビームスプリッタ２３、１／４波長板２４、及びコリメータレンズ２５を通過し、その後、対物レンズ２６で光ディスク（この場合には、ＢＤ）６０の情報記録層の情報トラック６１に集光される。情報トラック６１に集光されたレーザー光は、光ディスク６０の情報トラック６１で回折して反射光となり、対物レンズ２６、コリメータレンズ２５、及び１／４波長板２４を通過し、偏光ビームスプリッタ２３で反射される。偏光ビームスプリッタ２３で反射したレーザー光は、ホログラム２９を通過し、ＢＤ／ＣＤ用レーザー光反射面３０で反射し、非点光学素子３２を通過し、光検知器３３に照射される。
【００２１】
ＢＤ／ＣＤ用レーザー光反射面３０は、ＢＤ用レーザー光とＣＤ用レーザー光である約４０５［ｎｍ］と約７８０［ｎｍ］の波長の光に対し高い反射率を有し、ＤＶＤ用レーザー光である約６６０［ｎｍ］の波長の光に対し高い透過率を有する多層膜を形成した面である。
【００２２】
図６は、実施の形態１（及び後述する実施の形態２）に係る光ヘッド装置のホログラム２９を示す平面図である。図６に示されるように、ホログラム２９は、６分割された偏向領域（回折領域）として、第１の回折領域２９１と、第２の回折領域２９２と、第３の回折領域２９３と、第４の回折領域２９４と、第５の回折領域２９５と、第６の回折領域２９６とを有している。
【００２３】
第１の回折領域２９１は、光ディスク６０の情報記録層の情報トラック６１で回折した反射光の内の０次光のレーザー光である光ビーム（メインビーム）が照射される領域（破線の円形で示す領域２９７）であり、且つ、メインビーム反射光の内の−１次光のレーザー光である光ビーム（サブビーム）とが重なって照射される領域（ハッチング領域２９８）の全体を含む領域である。
【００２４】
第２の回折領域２９２は、光ディスク６０の情報記録層の情報トラック６１で回折した反射光の内の０次光のレーザー光である光ビーム（メインビーム）が照射される領域（破線の円形で示す領域２９７）であり、且つ、メインビームと反射光の内の＋１次光のレーザー光である光ビーム（サブビーム）とが重なって照射される領域（ハッチング領域２９９）の全体を含む領域である。
【００２５】
第３の回折領域２９３、第４の回折領域２９４、第５の回折領域２９５、及び第６の回折領域２９６は、光ディスク６０の情報記録層の情報トラック６１で回折した反射光の０次光のレーザー光である光ビーム（メインビーム）が照射される領域（図６に示す円形の領域２９７）であり、且つ、メインビームと反射光の内の＋１次光又は−１次光のレーザー光である光ビーム（サブビーム）とが重なって照射される領域（ハッチング領域２９８，２９９）を含まない領域である。
【００２６】
ホログラム２９の第１〜第６の回折領域２９１〜２９６によって分離された回折光である、＋１次光と０次光と−１次光の光量比は、例えば、次式のようになる。
＋１次光：０次光：−１次光＝１：８：１
【００２７】
図７は、図２の光検知器３３の受光面及びホログラム２９で７分割された光ビーム（ＢＤ用レーザー光）１０１〜１０７の照射領域を概略的に示す図（対物レンズ２６のラジアル方向のシフトが無いとき）である。
【００２８】
光検知器３３は、ホログラム２９の第１の回折領域２９１、第２の回折領域２９２、第３の回折領域２９３、第４の回折領域２９４、第５の回折領域２９５、及び第６の回折領域２９６で生成された回折光の０次光（すなわち、光ディスク６０の情報記録層の情報トラック６１で回折した反射光の内の０次光のレーザー光である光ビーム（メインビーム）がホログラム２９で回折（透過）することによって生成された回折光の内の０次光の光ビームである第１の光ビーム１０１（円形のハッチング領域）を受光する複数の受光面Ｂ１，Ｂ２，Ｂ３，Ｂ４を有する。
【００２９】
また、光検知器３３は、ホログラム２９の第１の回折領域２９１で生成された回折光の内の＋１次光である第２の光ビーム１０２を受光する受光面Ｂ５と、ホログラム２９の第２の回折領域２９２で生成された回折光の内の＋１次光である第３の光ビーム１０３を受光する受光面Ｂ６とを有する。なお、使用する回折光は、ホログラム２９の第１又は第２の回折領域２９１，２９２で生成された回折光の内の−１次光であってもよい。
【００３０】
さらに、光検知器３３は、ホログラム２９の第３の回折領域２９３で生成された回折光の内の＋１次光である第４の光ビーム１０４と、ホログラム２９の第４の回折領域２９４で生成された回折光の内の＋１次光である第５の光ビーム１０５とを受光する受光面Ｂ７を有する。さらに、光検知器３３は、ホログラム２９の第５の回折領域２９５で生成された回折光の内の＋１次光である第６の光ビーム１０６と、ホログラム２９の第６の回折領域２９６で生成された回折光の内の＋１次光である第７の光ビーム１０７とを受光する受光面Ｂ８を有する。なお、使用する回折光は、ホログラム２９の第３、第４、第５、第６の回折領域２９３，２９４，２９５，２９６で生成された回折光の内の−１次光であってもよい。
【００３１】
ホログラム２９によって生成された（ホログラム２９を通過した）０次光のレーザー光である第１の光ビーム１０１は、受光面Ｂ１，Ｂ２，Ｂ３，Ｂ４に到達する。
【００３２】
ホログラム２９の第１の回折領域２９１によって生成された回折光の内の＋１次光である第２の光ビーム１０２は、受光面Ｂ５に到達し、ホログラム２９の第２の回折領域２９２によって生成された回折光の内の＋１次光である第３の光ビーム１０３は、受光面Ｂ６に到達する。
【００３３】
ホログラム２９の第３の回折領域２９３によって生成された回折光の内の＋１次光である第４の光ビーム１０４と、ホログラム２９の第４の回折領域２９４によって生成された回折光の内の＋１次光である第５の光ビーム１０５は、受光面Ｂ７に到達する。また、ホログラム２９の第５の回折領域２９５によって生成された回折光の内の＋１次光である第６の光ビーム１０６と、ホログラム２９の第６の回折領域２９６によって生成された回折光の内の＋１次光である第７の光ビーム１０７は、受光面Ｂ８に到達する。なお、以下の説明において、受光面Ｂ１，Ｂ２，Ｂ３，Ｂ４，Ｂ５，Ｂ６，Ｂ７，Ｂ８でそれぞれ光電変換によって生成された電気信号（検知信号）の信号レベルを、受光面を示す符合と同じＢ１，Ｂ２，Ｂ３，Ｂ４，Ｂ５，Ｂ６，Ｂ７，Ｂ８と表記する。
【００３４】
マトリクス回路５は、光検知器３３の検知信号Ｂ１，Ｂ２，Ｂ３，Ｂ４，Ｂ５，Ｂ６，Ｂ７，Ｂ８を受信し、フォーカスエラー信号ＦＥＳを、次式の非点収差法の演算によって生成する。なお、以下の説明において、フォーカスエラー信号の信号レベルをもＦＥＳと表記する。
ＦＥＳ＝（Ｂ１＋Ｂ３）−（Ｂ２＋Ｂ４）
【００３５】
また、マトリクス回路５は、トラックエラー信号ＴＥＳを、次式の演算によって生成する。なお、以下の説明において、トラックエラー信号の信号レベルをもＴＥＳと表記する。
ＴＥＳ＝（Ｂ５−Ｂ６）−ｋ×（Ｂ７−Ｂ８）
ここで、ｋは定数である。
【００３６】
図８は、ホログラム２９に照射される光ビームの照射領域を概略的に示す図（対物レンズ２６のシフトが無いとき）である。また、図９は、ホログラム２９に照射される光ビームの照射領域を概略的に示す図（対物レンズ２６がラジアル方向の光ディスク内周側にシフトしたとき）である。また、図１０は、ホログラム２９に照射される光ビームの照射領域を概略的に示す図（対物レンズ２６がラジアル方向の光ディスク外周側にシフトしたとき）である。図９は、対物レンズ２６が光ディスク６０の内周方向にシフトした場合に、光ビームは、図９の左方（レンズシフトによるスポット移動方向）にずれることを示している。図１０は、対物レンズ２６が光ディスク６０の外周方向にシフトした場合に、光ビームは、図１０の右方（図８の場合の反対方向）にずれることを示している。
【００３７】
図１１（ａ）〜（ｃ）は、対物レンズ２６のラジアル方向のシフトによる検知信号の変化を示す図である。図１１（ａ）〜（ｃ）は、それぞれ、対物レンズ２６のラジアル方向のシフトが無いとき、対物レンズ２６が光ディスク内周側にシフトしたとき、及び対物レンズ２６が光ディスク外周側にシフトしたときである。なお、図１１（ａ）〜（ｃ）は、フォーカスサーボがオンであり、トラックサーボがオフの場合の信号を示している。
【００３８】
図１１（ａ）及び図８から理解できるように、対物レンズ２６のラジアル方向のシフトが無いときには、信号（Ｂ５−Ｂ６）の波形は、ＧＮＤ（破線）を基準にしてオフセットのないプッシュプル波形となる。このとき、信号（Ｂ７−Ｂ８）の直流的波形（実線）も、ＧＮＤ（破線）を基準にしてオフセットのない波形となる。
【００３９】
図１１（ｂ）及び図９から理解できるように、対物レンズ２６がラジアル方向内周側（内周に向けて）にシフトしたときには、信号（Ｂ５−Ｂ６）の波形は、ＧＮＤ（破線）を基準にしてプラスにオフセットしたプッシュプル波形となる。このとき、信号（Ｂ７−Ｂ８）の直流的波形（実線）も、ＧＮＤ（破線）を基準にしてプラスにオフセットした波形となる。したがって、信号（Ｂ７−Ｂ８）の値は、対物レンズ２６のシフト量に対応する値を表しており、（Ｂ５−Ｂ６）信号の値から信号（Ｂ７−Ｂ８）の値の定数倍（ｋ倍）を差し引くことによって、オフセットをキャンセルしたトラックエラー信号ＴＥＳが得られる。
【００４０】
図１１（ｃ）及び図１０から理解できるように、対物レンズ２６がラジアル方向内周側（内周に向けて）にシフトしたときには、信号（Ｂ５−Ｂ６）の波形は、ＧＮＤ（破線）を基準にしてマイナスにオフセットしたプッシュプル波形となる。このとき、信号（Ｂ７−Ｂ８）の直流的波形（実線）も、ＧＮＤ（破線）を基準にしてマイナスにオフセットした波形となる。したがって、信号（Ｂ７−Ｂ８）の値は、対物レンズ２６のシフト量に対応する値を表しており、（Ｂ５−Ｂ６）信号の値から信号（Ｂ７−Ｂ８）の値の定数倍（ｋ倍）を差し引くことによって、オフセットをキャンセルしたトラックエラー信号ＴＥＳが得られる。
【００４１】
《１−４》ＤＶＤ用レーザー光を用いた記録再生動作
ＤＶＤの記録再生の場合について説明する。図２において、光源ユニット２１から出射されたＤＶＤ用レーザー光は、回折格子２２を通過する。回折格子２２で生成される±１次光回折光は、ＤＶＤ用レーザー光の波長において所定の光量比となる。回折光である＋１次光と０次光と−１次光の光量比は、例えば、次式のようになる。
＋１次光：０次光：−１次光＝１：２０：１
回折格子２２で分割されたレーザー光は、偏光ビームスプリッタ２３、１／４波長板２４及びコリメータレンズ２５を通過して対物レンズ２６で光ディスク（ここでは、ＤＶＤ）６０の情報記録層の情報トラック６１に集光される。
【００４２】
図１２は、光ディスク６０の情報記録層の情報トラック６１に集光されたレーザー光を示す図である。回折格子２２で生成された回折光の０次光のレーザー光であるメインビーム２０１（円形のハッチング領域）は、情報トラック６１上に集光される。回折格子２２で生成された回折光の内の＋１次光のレーザー光であるサブビーム２０２、回折格子２２で生成された回折光の内の−１次光のレーザー光であるサブビーム２０３は、メインビーム２０１に対して、情報トラック６１の間隔の半分の距離だけラジアル方向にずれた位置に集光される。
【００４３】
メインビーム２０１及びサブビーム２０２，２０３は、光ディスク６０の情報トラック６１で回折して反射光となり、対物レンズ２６、コリメータレンズ２５、及び１／４波長板２４を通過し、偏光ビームスプリッタ２３で反射され、ホログラム２９を通過し、ＢＤ／ＣＤ用レーザー光反射面３０を通過し、ＤＶＤ用レーザー光反射面３１で反射し、再びＢＤ／ＣＤ用レーザー光反射面３０を通過し、非点光学素子３２を通過し、光検知器３３に照射される。
【００４４】
ＤＶＤ用レーザー光反射面３１は、ＤＶＤ用レーザー光の波長である約６６０［ｎｍ］の光に対し高い反射率を有している。同時に、ＤＶＤ用レーザー光反射面３１には、ＤＶＤ用レーザー光を偏向させるため、ブレーズド回折格子が形成されていることが望ましい。ブレーズド回折格子は、ＢＤ用レーザー光の光路やＣＤ用レーザー光との光路長の違いを相殺するためにレーザー光を発散させる機能を同時に有している。すなわち、ＢＤ／ＣＤ用レーザー光反射面３０を通過したＤＶＤ用レーザー光の光路長は、ＢＤ用レーザー光及びＣＤ用レーザー光よりも長くなる（光路長が長いため、集光し過ぎて、照射スポットが小さくなる）ため、レーザー光を僅かに発散させて、照射スポットの大きさを適正な大きさに調整する。
【００４５】
図１３は、図２の光検知器３３の受光面及び回折格子２２で分割されたＤＶＤ用レーザー光の照射領域を概略的に示す図である。ＤＶＤ用レーザー光反射面３１で反射したメインビーム２０１、サブビーム２０２、サブビーム２０３は、回折作用により偏向されており、ＢＤ／ＣＤ用レーザー光反射面３０で反射する場合のよりも図１３のタンジェンシャル方向のプラス（＋）側に到達している。光検知器３３は、回折格子２２で生成された回折光の０次光のレーザー光であるメインビーム２０１を受光する複数の受光面Ｄ１，Ｄ２，Ｄ３，Ｄ４を有する。また、回折格子２２で生成された回折光の内の＋１次光のレーザー光であるサブビーム２０２を受光する受光面Ｄ５，Ｄ６を有する。また、回折格子２２で生成された回折光の内の−１次光のレーザー光であるサブビーム２０３を受光する受光面Ｄ７，Ｄ８を有する。
【００４６】
図１４は、比較例に関し、メインビーム２０１ａ、サブビーム２０２ａ、サブビーム２０３ａがＢＤ／ＣＤ用レーザー光反射面３０の位置に配置された反射面で反射される場合の光検知器３３ａの受光面及び回折格子２２で分割されたＤＶＤ用レーザー光の照射領域を概略的に示す図である。実施の形態１を示す図１３と比較すると、受光面Ｄ１，Ｄ２，Ｄ３，Ｄ４，Ｄ５，Ｄ６，Ｄ７，Ｄ８は、全体的にタンジェンシャル方向のマイナス（−）側に配置する必要がある。このため、図１３の実施の形態１においてすべての受光面を配置するために必要なタンジェンシャル方向の長さＬ３３は、図１４の比較例においてすべての受光面を配置するために必要なタンジェンシャル方向の長さＬ３３ａよりも短くなっている。このため、実施の形態１に係る光集積素子１ａ及び光ヘッド装置１は、タンジェンシャル方向の長さを短縮することができる。
【００４７】
図１３において、回折格子２２によって生成された（回折格子２２を通過した）０次光のレーザー光であるメインビームは、受光面Ｄ１，Ｄ２，Ｄ３，Ｄ４に到達する。
【００４８】
回折格子２２によって生成された回折光の内の＋１次光のレーザー光であるサブビーム２０２は、受光面Ｄ５，Ｄ６に到達する。回折格子２２によって生成された回折光の内の−１次光のレーザー光であるサブビーム２０３は、受光面Ｄ７，Ｄ８に到達する。なお、以下の説明において、受光面Ｄ１，Ｄ２，Ｄ３，Ｄ４，Ｄ５，Ｄ６，Ｄ７，Ｄ８でそれぞれ光電変換によって生成された電気信号（検知信号）の信号レベルを、受光面を示す符合と同じＤ１，Ｄ２，Ｄ３，Ｄ４，Ｄ５，Ｄ６，Ｄ７，Ｄ８と表記する。
【００４９】
マトリクス回路５は、光検知器３３の検知信号Ｄ１，Ｄ２，Ｄ３，Ｄ４，Ｄ５，Ｄ６，Ｄ７，Ｄ８を受信し、フォーカスエラー信号ＦＥＳを、次式の非点収差法の演算によって生成する。
ＦＥＳ＝（Ｄ１＋Ｄ３）−（Ｄ２＋Ｄ４）
【００５０】
また、マトリクス回路５は、トラックエラー信号ＴＥＳを、次式の一般的な差動プッシュプル法の演算によって生成する。
ＴＥＳ＝（Ｄ１＋Ｄ２）−（Ｄ４＋Ｄ３）−ｋ×｛（Ｄ５−Ｄ６）＋（Ｄ７−Ｄ８）｝
ここで、ｋは定数である。
【００５１】
《１−５》ＣＤ用レーザー光を用いた記録再生動作
ＣＤの記録再生の場合について説明する。図２において、光源ユニット２１から出射されたＣＤ用レーザー光は、回折格子２２を通過する。回折格子２２は、ＣＤ用レーザー光の波長に対しては、±１次光回折光が小さくなるように設定されており、回折格子２２を通過する光は、ほぼ１００％が０次回折光である。回折格子２２を通過したレーザー光は、偏光ビームスプリッタ２３、１／４波長板２４及びコリメータレンズ２５を通過して対物レンズ２６で光ディスク６０の情報記録層の情報トラック６１に集光される。レーザー光は、光ディスク６０の情報トラック６１で回折して反射光となり、対物レンズ２６、コリメータレンズ２５及び１／４波長板２４を通過し、偏光ビームスプリッタ２３で反射され、ホログラム２９を通過し、ＢＤ／ＣＤ用レーザー光反射面３０で反射し、非点光学素子３２を通過し、光検知器３３に照射される。
【００５２】
図１５は、図２の光検知器３３の受光面及びＣＤ用レーザー光の照射領域を概略的に示す図である。光検知器３３は、光ビーム３０１（円形のハッチング領域）を受光する複数の受光面Ｃ１，Ｃ２，Ｃ３，Ｃ４を有する。
【００５３】
光ビーム３０１は、受光面Ｃ１，Ｃ２，Ｃ３，Ｃ４に到達する。なお、以下の説明において、受光面Ｃ１，Ｃ２，Ｃ３，Ｃ４でそれぞれ光電変換によって生成された電気信号（検知信号）の信号レベルを、受光面を示す符合と同じＣ１，Ｃ２，Ｃ３，Ｃ４と表記する。
【００５４】
マトリクス回路５は、光検知器３３の検知信号Ｃ１，Ｃ２，Ｃ３，Ｃ４を受信し、フォーカスエラー信号ＦＥＳを、次式の非点収差法の演算によって生成する。
ＦＥＳ＝（Ｃ１＋Ｃ３）−（Ｃ２＋Ｃ４）
【００５５】
また、マトリクス回路５は、トラックエラー信号ＴＥＳを、次式の一般的な位相差法の演算によって生成する。
ＴＥＳ＝φ（Ｃ１＋Ｃ３）−φ（Ｃ２＋Ｃ４）
ここで、φは信号の位相を表す。
【００５６】
《１−６》実施の形態１の効果
以上に説明したように、実施の形態１においては、光源ユニット２１と光検知器３３を一体化した光集積素子１ａが用いられている。これにより光源ユニット２１と光検知器３３の相互の位置関係のずれを防ぐことができるという効果がある。
【００５７】
また、実施の形態１においては、光集積素子１ａのＤＶＤ用レーザー光反射面３１は、ＤＶＤ用レーザー光を偏向させるためにブレーズド回折格子が形成されている。このＤＶＤ用レーザー光反射面３１による偏向によって、ＤＶＤ用レーザー光受光面Ｄ１，Ｄ２，Ｄ３，Ｄ４，Ｄ５，Ｄ６，Ｄ７，Ｄ８を全体的にタンジェンシャル方向のプラス（＋）側に配置することができ、すべての受光面を配置するために必要なタンジェンシャル方向の長さＬ３３を短くすることができる。すなわち、図７、図１３、及び図１５に示されるように、光検知器３３の複数の受光面Ｂ１〜Ｂ８，Ｄ１〜Ｄ８，Ｃ１〜Ｃ４の内の、ＤＶＤ用レーザー光に対応する複数の受光面Ｄ１〜Ｄ８及びＣＤ用レーザー光に対応する複数の受光面Ｃ１〜Ｃ４は、ＢＤ用レーザー光に対応する複数の受光面Ｂ１〜Ｂ８が存在するタンジェンシャル方向の幅Ｌ３３の範囲内に配置されている。このため、実施の形態１においては、光検知器３３のタンジェンシャル方向のチップサイズを小さくすることができるという効果がある。また、図７、図１３、及び図１５に示されるように、光検知器３３の複数の受光面Ｂ１〜Ｂ８，Ｄ１〜Ｄ８，Ｃ１〜Ｃ４の内の、ＤＶＤ用レーザー光に対応する複数の受光面Ｄ１〜Ｄ８及びＣＤ用レーザー光に対応する複数の受光面Ｃ１〜Ｃ４は、ＢＤ用レーザー光に対応する複数の受光面Ｂ１〜Ｂ８が存在するラジアル方向の幅（Ｌ３３に直交する方向の長さ）の範囲内に配置されている。このため、実施の形態１においては、光検知器３３のラジアル方向のチップサイズをも小さくすることができる。
【００５８】
また、ＤＶＤ用レーザー光反射面３１のブレーズド回折格子によるレーザー光を発散させる機能により、光路長を調整し、光検知器３３上の光スポットの大きさを最適にすることができる。
【００５９】
《２》実施の形態２．
《２−１》光ディスク装置の構成
実施の形態２に係る光ディスク装置の構成は、光ヘッド装置２の構成を除いて、実施の形態１のものと同じである。したがって、実施の形態２の説明においては、図１をも参照する。また、実施の形態２において、ＢＤ、ＤＶＤ、ＣＤそれぞれのフォーカスエラー信号ＦＥＳ、トラックエラー信号ＴＥＳの生成方法は、実施の形態１の場合と同じであるため、実施の形態２の説明に際しては、図６及び図８から図１２をも参照する。
【００６０】
《２−２》光ヘッド装置の構成
図１６は、実施の形態２に係る光ヘッド装置２の構成を概略的に示す斜視図である。図１６において、図１に示される構成要素と同一又は対応する構成要素には、同じ符号を付す。光ヘッド装置２は、光源ユニット２１と光検知器５３とを支持構造部４０に固定して一体化している。波長の異なる３種類のレーザー光源を、それぞれの発光点の距離が数百μｍ以下になるように一体化した光源ユニット２１と、回折格子２２と、偏光ビームスプリッタ２３と、１／４波長板２４と、コリメータレンズ２５と、光ディスク６０に向かうレーザー光を集光し、及び、光ディスク６０の情報記録層の情報トラック６１によって回折された反射光を集光する対物レンズ２６と、対物レンズ２６を保持する可動保持部２７と、可動保持部２７をフォーカス方向又は光ディスク６０のラジアル方向に駆動する対物レンズアクチュエータ２８と、偏向素子（回折素子）としてのホログラム２９と、ＤＶＤ／ＣＤ用レーザー光反射面５０と、ＢＤ用レーザー光反射面５１と、非点収差を与える非点光学素子３２と、光検知器５３とを備えている。光源ユニット２１の構造は、実施の形態１のものと同じである。
【００６１】
図１７は、図１６の光ヘッド装置２の光集積素子２ａの光検知器５３に入射するＢＤ用レーザー光の光路を概略的に示す側面図である。図１８は、図１６の光ヘッド装置２の光集積素子２ａの光検知器５３に入射するＤＶＤ用レーザー光の光路を概略的に示す側面図である。図１９は、図１６の光ヘッド装置２の光集積素子２ａの光検知器５３に入射するＣＤ用レーザー光の光路を概略的に示す側面図である。図１７から図１９に示されるように、光集積素子１ａは、３種類のレーザー光源２１Ｂ，２１Ｄ，２１Ｃを有し、これらレーザー光源２１Ｂ，２１Ｄ，２１Ｃで生成される互いに波長の異なる３種類のレーザー光の内のいずれかのレーザー光を選択的に出射する光源ユニット２１と、複数のレーザー光を受光する複数の受光面（Ｂ１〜Ｂ８，Ｄ１〜Ｄ８，Ｃ１〜Ｃ４）を有し、複数の受光面の各々が、受光光量に応じた信号レベルの検知信号を出力する光検知器５３と、光源ユニット２１から出射され光ディスク６０に向かうレーザー光と光ディスク６０で反射されたレーザー光とを分離する分離素子としての偏光ビームスプリッタ２３と、偏光ビームスプリッタ２３で分離されたレーザー光の進行方向を変える偏向素子としてのホログラム２９と、３種類のレーザー光の内の所定の波長のレーザー光（Ｂ用レーザー光）を通過させ、他の波長のレーザー光（ＤＶＤ用レーザー光及びＣＤ用レーザー光）を反射させる波長選択性を持つ第１の面としてのＤＶＤ／ＣＤ用レーザー光反射面５０と、ＤＶＤ／ＣＤ用レーザー光反射面５０を通過した所定の波長のレーザー光（ＢＤ用レーザー光）を反射及び回折させる第２の面としてのＢＤ用レーザー光反射面５１とを有する反射素子５５とを備えている。光集積素子２ａにおいては、図１８及び図１９に示されるように、ホログラム２９を通過しＤＶＤ／ＣＤ用レーザー光反射面５０で反射した他の波長のレーザー光（ＤＶＤ用レーザー光及びＣＤ用レーザー光）を、複数の受光面の内の対応する受光面（Ｄ１〜Ｄ８，Ｃ１〜Ｃ４）に入射させ、図１７に示されるように、ホログラム２９を通過しＤＶＤ／ＣＤ用レーザー光反射面５０を通過し、ＢＤ用レーザー光反射面５１で反射した所定の波長のレーザー光（ＢＤ用レーザー光）を、ＤＶＤ／ＣＤ用レーザー光反射面５０を再度通過させ、光検知器５３の対応する受光面（Ｂ１〜Ｂ８）に入射させるように、偏光ビームスプリッタ２３、ホログラム２９、反射素子５５のＤＶＤ／ＣＤ用レーザー光反射面５０及びＢＤ用レーザー光反射面５１、並びに、光検知器５３を配置している。
【００６２】
《２−３》ＢＤ用レーザー光を用いた記録再生動作
ＢＤの記録再生の場合について説明する。光源ユニット２１から出射されたＢＤ用レーザー光は、回折格子２２、偏光ビームスプリッタ２３、１／４波長板２４及びコリメータレンズ２５を通過して対物レンズ２６で光ディスク６０の情報記録層の情報トラック６１に集光される。レーザー光は、光ディスク６０の情報トラック６１で回折して反射光となり、対物レンズ２６、コリメータレンズ２５及び１／４波長板２４を通過し、偏光ビームスプリッタ２３で反射され、ホログラム２９を通過し、ＤＶＤ／ＣＤ用レーザー光反射面５０を通過し、ＢＤ用レーザー光反射面５１で反射し、再び、ＤＶＤ／ＣＤ用レーザー光反射面５０を通過し、非点光学素子３２を通過し、光検知器５３に照射される。ＤＶＤ／ＣＤ用レーザー光反射面５０は、ＤＶＤ用レーザー光とＣＤ用レーザー光である約６６０［ｎｍ］と約７８０［ｎｍ］の波長の光に高い反射率を有し、ＢＤ用レーザー光である約４０５［ｎｍ］の波長の光に対し高い透過率を有する多層膜を形成した面である。
【００６３】
図６は、図１６に示されるホログラム２９を示す平面図である。図６に示されるように、ホログラム２９は、６分割された偏向領域（回折領域）として、第１の回折領域２９１と、第２の回折領域２９２と、第３の回折領域２９３と、第４の回折領域２９４と、第５の回折領域２９５と、第６の回折領域２９６とを有している。
【００６４】
第１の回折領域２９１は、光ディスク６０の情報記録層の情報トラック６１で回折した反射光の内の０次光のレーザー光である光ビーム（メインビーム）が照射される領域（破線の円形で示す領域２９７）であり、且つ、メインビーム反射光の内の−１次光のレーザー光である光ビーム（サブビーム）とが重なって照射される領域（ハッチング領域２９８）の全体を含む領域である。
【００６５】
第２の回折領域２９２は、光ディスク６０の情報記録層の情報トラック６１で回折した反射光の内の０次光のレーザー光である光ビーム（メインビーム）が照射される領域（破線の円形で示す領域２９７）であり、且つ、メインビームと反射光の内の＋１次光のレーザー光である光ビーム（サブビーム）とが重なって照射される領域（ハッチング領域２９９）の全体を含む領域である。
【００６６】
第３の回折領域２９３、第４の回折領域２９４、第５の回折領域２９５及び第６の回折領域２９６は、光ディスク６０の情報記録層の情報トラック６１で回折した反射光の０次光のレーザー光である光ビーム（メインビーム）が照射される領域（図６に示す円形の領域２９７）であり、且つ、メインビームと反射光の内の＋１次光又は−１次光のレーザー光である光ビーム（サブビーム）とが重なって照射される領域（ハッチング領域２９８，２９９）を含まない領域である。
【００６７】
ホログラム２９の第１〜第６の回折領域２９１〜２９６によって分離された回折光の光量比は、例えば、次式のようになる。
＋１次光：０次光：−１次光＝１：８：１
【００６８】
ＢＤ用レーザー光反射面５１は、ＢＤ用レーザー光である約４０５［ｎｍ］の波長の光に対し高い反射率を有している。同時にＢＤ用レーザー光を偏向させるため、ブレーズド回折格子が形成されている。ブレーズド回折格子は、光路長の違いを相殺するためにレーザー光を発散させる機能を同時に有している。
【００６９】
図２０は、図１６の光検知器５３の受光面及びホログラム２９で７分割された光ビームの照射領域を概略的に示す図（対物レンズ２６のラジアル方向のシフトが無いとき）である。
【００７０】
ＢＤ用レーザー光反射面５１で反射した光ビームは、回折作用により偏向されており、ＤＶＤ／ＣＤ用レーザー光反射面５０で反射する場合のよりも図２０のタンジェンシャル方向のマイナス（−）側に到達している。
【００７１】
光検知器５３は、ホログラム２９の第１の回折領域２９１、第２の回折領域２９２、第３の回折領域２９３、第４の回折領域２９４、第５の回折領域２９５、及び第６の回折領域２９６で生成された回折光の０次光（すなわち、光ディスク６０の情報記録層の情報トラック６１で回折した反射光の内の０次光のレーザー光である光ビーム（メインビーム）がホログラム２９で回折（透過）することによって生成された回折光の内の０次光の光ビームである第１の光ビーム４０１（円形のハッチング領域）を受光する複数の受光面Ｂ１，Ｂ２，Ｂ３，Ｂ４を有する。
【００７２】
また、光検知器５３は、ホログラム２９の第１の回折領域２９１で生成された回折光の内の＋１次光である第２の光ビーム４０２を受光する受光面Ｂ５を有する。また、ホログラム２９の第２の回折領域２９２で生成された回折光の内の＋１次光である第３の光ビーム４０３を受光する受光面Ｂ６を有する。なお、使用する回折光は、ホログラム２９の第１又は第２の回折領域２９１，２９２で生成された回折光の内の−１次光であってもよい。
【００７３】
さらに、光検知器５３は、ホログラム２９の第３の回折領域２９３で生成された回折光の内の＋１次光である第４の光ビーム４０４と、ホログラム２９の第４の回折領域２９４で生成された回折光の内の＋１次光である第５の光ビーム４０５とを受光する受光面Ｂ７を有し、ホログラム２９の第５の回折領域２９５で生成された回折光の内の＋１次光である第６の光ビーム４０６と、ホログラム２９の第６の回折領域２９６で生成された回折光の内の＋１次光である第７の光ビーム４０７とを受光する、受光面Ｂ８を有する。なお、使用する回折光は、ホログラム２９の第３、第４、第５、第６の回折領域２９３，２９４、２９５、２９６で生成された回折光の内の−１次光であってもよい。
【００７４】
図２１は、比較例を示しており、光ビームがＤＶＤ／ＣＤ用レーザー光反射面５０で反射する場合の光検知器５３の受光面及びＢＤ用レーザー光の照射領域を概略的に示す図である。図２０と比較すると、受光面Ｂ１，Ｂ２，Ｂ３，Ｂ４，Ｂ５，Ｂ６，Ｂ７，Ｂ８は、全体的にタンジェンシャル方向のプラス（＋）側に位置し、すべての受光面を配置するために必要なタンジェンシャル方向の長さを図２０（実施の形態２）と図２１（比較例）で比較すると、図２０（実施の形態２）の場合の長さＬ５３は、図２１（比較例）の場合の長さＬ５３ａよりも短くなっている。
【００７５】
ホログラム２９によって生成された（ホログラム２９を通過した）０次光のレーザー光である第１の光ビーム４０１は、受光面Ｂ１，Ｂ２，Ｂ３，Ｂ４に到達する。
【００７６】
ホログラム２９の第１の回折領域２９１によって生成された回折光の内の＋１次光である第２の光ビーム４０２は、受光面Ｂ５に到達し、ホログラム２９の第２の回折領域２９２によって生成された回折光の内の＋１次光である第３の光ビーム４０３は、受光面Ｂ６に到達する。
【００７７】
ホログラム２９の第３の回折領域２９３によって生成された回折光の内の＋１次光である第４の光ビーム４０４と、ホログラム２９の第４の回折領域２９４によって生成された回折光の内の＋１次光である第５の光ビーム４０５は、受光面Ｂ７に到達し、ホログラム２９の第５の回折領域２９５によって生成された回折光の内の＋１次光である第６の光ビーム４０６と、ホログラム２９の第６の回折領域２９６によって生成された回折光の内の＋１次光である第７の光ビーム４０７は、受光面Ｂ８に到達する。なお、以下の説明において、受光面Ｂ１，Ｂ２，Ｂ３，Ｂ４，Ｂ５，Ｂ６，Ｂ７，Ｂ８でそれぞれ光電変換によって生成された電気信号（検知信号）の信号レベルを、受光面を示す符合と同じＢ１，Ｂ２，Ｂ３，Ｂ４，Ｂ５，Ｂ６，Ｂ７，Ｂ８と表記する。
【００７８】
マトリクス回路５は、光検知器５３の検知信号Ｂ１，Ｂ２，Ｂ３，Ｂ４，Ｂ５，Ｂ６，Ｂ７，Ｂ８を受信し、フォーカスエラー信号ＦＥＳを、次式の非点収差法の演算によって生成する。
ＦＥＳ＝（Ｂ１＋Ｂ３）−（Ｂ２＋Ｂ４）
【００７９】
また、マトリクス回路５は、トラックエラー信号ＴＥＳを、次式の演算によって生成する。
ＴＥＳ＝（Ｂ５−Ｂ６）−ｋ×（Ｂ７−Ｂ８）
ここで、ｋは定数である。
【００８０】
対物レンズ２６のシフトと、ホログラム２９に照射される光ビームの照射領域は、図９及び図１０に示されており、実施の形態１の場合と同じである。また、対物レンズ２６のシフトと、検知信号の変化は、図１１（ａ）〜（ｃ）に示される通りであり、実施の形態１の場合と同じである。
【００８１】
《２−４》ＤＶＤ用レーザー光を用いた記録再生動作
ＤＶＤの記録再生の場合について説明する。図１６において、光源ユニット２１から出射されたＤＶＤ用レーザー光は、回折格子２２を通過する。回折格子２２で生成される±１次光回折光は、ＤＶＤ用レーザー光の波長において所定の光量比となる。回折光の光量比は、例えば、次式のようになる。
＋１次光：０次光：−１次光＝１：２０：１
回折格子２２で分割されたレーザー光は、偏光ビームスプリッタ２３、１／４波長板２４及びコリメータレンズ２５を通過して対物レンズ２６で光ディスク６０の情報記録層の情報トラック６１に集光される。
【００８２】
図１２は、光ディスク６０の情報記録層の情報トラック６１に集光されたレーザー光を示す図である。回折格子２２で生成された回折光の０次光のレーザー光であるメインビーム５０１（円形のハッチング領域）は、情報トラック６１上に集光される。回折格子２２で生成された回折光の内の＋１次光のレーザー光であるサブビーム５０２、回折格子２２で生成された回折光の内の−１次光のレーザー光であるサブビーム５０３は、メインビーム５０１に対して、情報トラック６１の間隔の半分の距離だけラジアル方向にずれた位置に集光される。
【００８３】
メインビーム５０１及びサブビーム５０２，５０３は、光ディスク６０の情報トラック６１で回折して反射光となり、対物レンズ２６、コリメータレンズ２５及び１／４波長板２４を通過し、偏光ビームスプリッタ２３で反射され、ホログラム２９を通過し、ＤＶＤ／ＣＤ用レーザー光反射面５０で反射し、非点光学素子３２を通過し、光検知器５３に照射される。
【００８４】
ＤＶＤ／ＣＤ用レーザー光反射面５０は、ＤＶＤ用レーザー光とＣＤ用レーザー光の波長である約６６０［ｎｍ］と約７８０［ｎｍ］の光に対しに高い反射率を有し、ＢＤ用レーザー光の波長である約４０５［ｎｍ］の光に対し高い透過率を有する多層膜を形成した面である。
【００８５】
図２２は、図１６の光検知器５３の受光面及び回折格子２２で分割されたＤＶＤ用レーザー光の照射領域を概略的に示す図である。光検知器５３は、回折格子２２で生成された回折光の０次光のレーザー光であるメインビーム５０１を受光する複数の受光面Ｄ１，Ｄ２，Ｄ３，Ｄ４を有する。また、回折格子２２で生成された回折光の内の＋１次光のレーザー光であるサブビーム５０２を受光する受光面Ｄ５、Ｄ６を有する。また、回折格子２２で生成された回折光の内の−１次光のレーザー光であるサブビーム５０３を受光する受光面Ｄ７，Ｄ８を有する。
【００８６】
回折格子２２によって生成された（回折格子２２を通過した）０次光のレーザー光であるメインビーム５０１は、受光面Ｄ１，Ｄ２，Ｄ３，Ｄ４に到達する。
【００８７】
回折格子２２によって生成された回折光の内の＋１次光のレーザー光であるサブビーム５０２は、受光面Ｄ５，Ｄ６に到達する。回折格子２２によって生成された回折光の内の−１次光のレーザー光であるサブビーム５０３は、受光面Ｄ７，Ｄ８に到達する。なお、以下の説明において、受光面Ｄ１，Ｄ２，Ｄ３，Ｄ４，Ｄ５，Ｄ６，Ｄ７，Ｄ８でそれぞれ光電変換によって生成された電気信号（検知信号）の信号レベルを、受光面を示す符合と同じＤ１，Ｄ２，Ｄ３，Ｄ４，Ｄ５，Ｄ６，Ｄ７，Ｄ８と表記する。
【００８８】
マトリクス回路５は、光検知器５３の検知信号Ｄ１，Ｄ２，Ｄ３，Ｄ４，Ｄ５，Ｄ６，Ｄ７，Ｄ８を受信し、フォーカスエラー信号ＦＥＳを、次式の非点収差法の演算によって生成する。
ＦＥＳ＝（Ｄ１＋Ｄ３）−（Ｄ２＋Ｄ４）
【００８９】
また、マトリクス回路５は、トラックエラー信号ＴＥＳを、次式の一般的な差動プッシュプル法の演算によって生成する。
ＴＥＳ＝（Ｄ１＋Ｄ２）−（Ｄ４＋Ｄ３）−ｋ×｛（Ｄ５−Ｄ６）＋（Ｄ７−Ｄ８）｝
ここで、ｋは定数である。
【００９０】
《２−４》ＣＤ用レーザー光を用いた記録再生動作
ＣＤの記録再生の場合について説明する。図１６において、光源ユニット２１から出射されたＣＤ用レーザー光は、回折格子２２を通過する。回折格子２２は、ＣＤ用レーザー光に対しては、±１次光回折光が小さくなるように設定されており、回折格子２２を通過する光は、ほぼ１００％が０次回折光である。回折格子２２を通過したレーザー光は、偏光ビームスプリッタ２３、１／４波長板２４及びコリメータレンズ２５を通過して対物レンズ２６で光ディスク６０の情報記録層の情報トラック６１に集光される。レーザー光は、光ディスク６０の情報トラック６１で回折して反射光となり、対物レンズ２６、コリメータレンズ２５及び１／４波長板２４を通過し、偏光ビームスプリッタ２３で反射され、ホログラム２９を通過し、ＤＶＤ／ＣＤ用レーザー光反射面５０で反射し、非点光学素子３２を通過し、光検知器５３に照射される。
【００９１】
図２３は、図１６の光検知器５３の受光面及びＣＤ用レーザー光の照射領域を概略的に示す図である。光検知器５３は、光ビーム６０１（円形のハッチング領域）を受光する複数の受光面Ｃ１，Ｃ２，Ｃ３，Ｃ４を有する。
【００９２】
光ビーム６０１は、受光面Ｃ１，Ｃ２，Ｃ３，Ｃ４に到達する。なお、以下の説明において、受光面Ｃ１，Ｃ２，Ｃ３，Ｃ４でそれぞれ光電変換によって生成された電気信号（検知信号）の信号レベルを、受光面を示す符合と同じＣ１，Ｃ２，Ｃ３，Ｃ４と表記する。
【００９３】
マトリクス回路５は、光検知器５３の検知信号Ｃ１，Ｃ２，Ｃ３，Ｃ４を受信し、フォーカスエラー信号ＦＥＳを、次式の非点収差法の演算によって生成する。
ＦＥＳ＝（Ｃ１＋Ｃ３）−（Ｃ２＋Ｃ４）
【００９４】
また、マトリクス回路５は、トラックエラー信号ＴＥＳを、次式の一般的な位相差法の演算によって生成する。
ＴＥＳ＝φ（Ｃ１＋Ｃ３）−φ（Ｃ２＋Ｃ４）
ここで、φは信号の位相を表す。
【００９５】
《２−５》実施の形態２の効果
以上に説明したように、実施の形態２においては、光源ユニット２１と光検知器５３を一体化した光集積素子２ａが用いられている。これにより光源ユニット２１と光検知器５３の相互の位置関係のずれを防ぐことができるという効果がある。
【００９６】
また、実施の形態２においては、光集積素子２ａのＢＤ用レーザー光反射面５１は、ＢＤ用レーザー光を偏向させるためにブレーズド回折格子が形成されている。このＢＤ用レーザー光反射面５１による偏向によって、ＢＤ用レーザー光受光面Ｂ１〜Ｂ８を全体的にタンジェンシャル方向のプラス（＋）側に配置することができ、すべての受光面を配置するために必要なタンジェンシャル方向の長さＬ５３を短くすることができる。すなわち、図２０、図２２、及び図２３に示されるように、光検知器５３の複数の受光面Ｂ１〜Ｂ８，Ｄ１〜Ｄ８，Ｃ１〜Ｃ４の内の、ＤＶＤ用レーザー光に対応する複数の受光面Ｄ１〜Ｄ８及びＣＤ用レーザー光に対応する複数の受光面Ｃ１〜Ｃ４は、ＢＤ用レーザー光に対応する複数の受光面Ｂ１〜Ｂ８が存在するタンジェンシャル方向の幅Ｌ５３の範囲内に配置されている。このため、実施の形態２においては、光検知器５３のチップサイズを小さくすることができるという効果がある。また、図２０、図２２、及び図２３に示されるように、光検知器５３の複数の受光面Ｂ１〜Ｂ８，Ｄ１〜Ｄ８，Ｃ１〜Ｃ４の内の、ＤＶＤ用レーザー光に対応する複数の受光面Ｄ１〜Ｄ８及びＣＤ用レーザー光に対応する複数の受光面Ｃ１〜Ｃ４は、ＢＤ用レーザー光に対応する複数の受光面Ｂ１〜Ｂ８が存在するラジアル方向の幅（Ｌ５３に直交する方向の長さ）の範囲内に配置されている。このため、実施の形態１においては、光検知器３３のラジアル方向のチップサイズをも小さくすることができる。
【００９７】
また、ＢＤ用レーザー光反射面５１のブレーズド回折格子によるレーザー光を発散させる機能により、光路長を調整し、光検知器５３上の光スポットの大きさを最適にすることができる。
【符号の説明】
【００９８】
１，２  光ヘッド装置、  １ａ，２ａ  光集積素子、  ３  スピンドルモータ、  ３ａ  ターンテーブル、  ４  移動部、  ５  マトリクス回路、  ６  信号再生回路、  ７  サーボ回路、  ８  スピンドル制御回路、  ９  レーザー制御回路、  １０  スレッド制御回路、  １１  コントローラ、  ２０  支持構造体、  ２１  光源ユニット、  ２２  回折格子、  ２３  偏光ビームスプリッタ（分離素子）、  ２４  １／４波長板、  ２５  コリメータレンズ、  ２６  対物レンズ、  ２７  可動保持部、  ２８  対物レンズアクチュエータ、  ２９  ホログラム（偏向素子）、  ３０  ＢＤ／ＣＤ用レーザー光反射面、  ３１  ＤＶＤ用レーザー光反射面、  ３２，５２  非点光学素子、  ３３，５３  光検知器、  ５０  ＤＶＤ／ＣＤ用レーザー光反射面、  ５１  ＢＤ用レーザー光反射面、  ６０  光ディスク、  ６１  情報トラック、  １０１，４０１  第１の光ビーム（ＢＤで反射したレーザー光）、  １０２，４０２  第２の光ビーム（ＢＤで反射したレーザー光）、  １０３，４０３  第３の光ビーム（ＢＤで反射したレーザー光）、  １０４，４０４  第４の光ビーム（ＢＤで反射したレーザー光）、  １０５，４０５  第５の光ビーム（ＢＤで反射したレーザー光）、  １０６，４０６  第６の光ビーム（ＢＤで反射したレーザー光）、  １０７，４０７  第７の光ビーム（ＢＤで反射したレーザー光）、  ２０１，５０１  メインビーム（ＤＶＤで反射したレーザー光）、  ２０２，５０２  ＋１次光であるサブビーム（ＤＶＤで反射したレーザー光）、  ２０３，５０３  −１次光であるサブビーム（ＤＶＤで反射したレーザー光）、  ３０１，６０１  光ビーム（ＣＤで反射したレーザー光）、  ２９１  第１の回折領域、  ２９２  第２の回折領域、  ２９３  第３の回折領域、  ２９４  第４の回折領域、  ２９５  第５の回折領域、  ２９６  第６の回折領域、  ２９７  光ビーム（メインビーム）が照射される領域、  ２９８  光ビーム（サブビーム）が重なって照射される領域、  ２９９  光ビーム（サブビーム）が重なって照射される領域、  Ｂ１，Ｂ２，Ｂ３，Ｂ４，Ｂ５，Ｂ６，Ｂ７，Ｂ８  受光面（又は信号レベル）、  Ｃ１，Ｃ２，Ｃ３，Ｃ４  受光面（又は信号レベル）、  Ｄ１，Ｄ２，Ｄ３，Ｄ４，Ｄ５，Ｄ６，Ｄ７，Ｄ８  受光面（又は信号レベル）、  ＦＥＳ  フォーカスエラー信号（又は信号レベル）、  ＴＥＳ  トラックエラー信号（又は信号レベル）。
【図１】
2014175030.tif 000003
【図２】
2014175030.tif 000004
【図３】
2014175030.tif 000005
【図４】
2014175030.tif 000006
【図５】
2014175030.tif 000007
【図６】
2014175030.tif 000008
【図７】
2014175030.tif 000009
【図８】
2014175030.tif 000010
【図９】
2014175030.tif 000011
【図１０】
2014175030.tif 000012
【図１１】
2014175030.tif 000013
【図１２】
2014175030.tif 000014
【図１３】
2014175030.tif 000015
【図１４】
2014175030.tif 000016
【図１５】
2014175030.tif 000017
【図１６】
2014175030.tif 000018
【図１７】
2014175030.tif 000019
【図１８】
2014175030.tif 000020
【図１９】
2014175030.tif 000021
【図２０】
2014175030.tif 000022
【図２１】
2014175030.tif 000023
【図２２】
2014175030.tif 000024
【図２３】
2014175030.tif 000025